(57)【特許請求の範囲】
【請求項１】
ハードディスクを収容するためのブラケットを備え、前記ブラケットは、底板及び前記底板の長手方向に沿って対向するように延在する２つの側板を備え、前記底板の一端には第一コネクタが設けられ、一方側の側板には、前記第一コネクタに近接する箇所に設けられた凹所及び前記凹所に連通し、且つ前記側板の長手方向に沿って延在する貫通スロットを有し、前記第一コネクタの前記ハードディスクに対向する側には、前記ハードディスクに電気的に接続されるための接続ポートが設けられ、前記第一コネクタにおける前記接続ポートが設置された側の反対側にはケーブルが設けられ、前記ケーブルは、前記凹所から前記貫通スロットを貫通して、前記ブラケットの外部へ引き出され、
前記ブラケットの内部にはもう１つのハードディスクが装着され、前記底板の他端には、第二コネクタが設けられ、前記第二コネクタの前記もう１つのハードディスクに対向する側には、前記もう１つのハードディスクに電気的に接続されるための接続ポートが設けられ、前記第二コネクタの前記もう１つのハードディスクの反対側には、ケーブルが設けられ、
前記第一コネクタの接続ポート及び前記第二コネクタの接続ポートは、互いに対向して設置され、前記第一コネクタと前記第二コネクタとのケーブルは統合された後に、同一の電気設備に共に接続されることを特徴とするハードディスクの固定装置。
【請求項２】
前記２つのハードディスクをそれぞれ収容して固定するための２つの固定フレームと、２つの前記固定フレームを固定するための固定部品と、をさらに備え、
前記ブラケットには、互いに逆方向に向かって延伸する２つのグループにわけられたスライド溝が設けられ、２つの前記固定フレームは、前記２つのグループのスライド溝に沿ってそれぞれスライド可能であり、且つ前記スライド溝の末端により当止され、前記固定部品は、２つの前記固定フレームの間に挟持され、且つ２つの前記固定フレームにそれぞれ係合されることを特徴とする請求項１に記載のハードディスクの固定装置。
【請求項３】
２つの前記固定フレームは第一端板をそれぞれ含み、２つの第一端板は、互いに対向して前記ブラケットの内部に設置され、前記固定部品は、主体部と、前記主体部の一端の両面に設けられた突起と、前記主体部の他端の底部から下方へ垂直に延伸した後に湾曲されて、上方へ斜めに延伸する傾斜板と、前記傾斜板の両側にそれぞれ突設される係合ピンと、を備え、
前記主体部の前記一端の両側は、２つの前記第一端板にそれぞれ回転可能に連接され、前記固定部品が回転されると、前記主体部の前記他端の傾斜板の両側の係合ピンは、２つの前記第一端板にそれぞれ係合されることを特徴とする請求項２に記載のハードディスクの固定装置。
【請求項４】
各固定フレームは天板をさらに備え、各第一端板は、前記天板の一端から下方へ垂直に延在し、各第一端板には、２つの固定孔が設けられ、各固定フレームには、２つの前記固定孔の上部とそれぞれ連通し、且つ前記天板まで延在する２つの切欠きが設けられ、
前記主体部の前記傾斜板から離れた一端の両面に設けられた２つの突起は、一方側の２つの切欠きから下方へ移動して一対の固定孔内に入った後に回転され、各突起の２つの側壁は、弧状であり、且つ前記一対の固定孔の周壁に当止されることを特徴とする請求項３に記載のハードディスクの固定装置。
【請求項５】
前記傾斜板の両側の係合ピンは、２つの前記第一端板の他方側の２つの切欠きから下方へ移動して、もう一対の固定孔内に係合されることを特徴とする請求項４に記載のハードディスクの固定装置。
【請求項６】
前記２つのグループのスライド溝は、２つの前記側板における第一コネクタに近い一端及び前記第二コネクタに近い一端にそれぞれ設けられ、各スライド溝には、前記側板の上部から垂直に延在し、且つ前記スライド溝に連通するガイド部が連接され、複数のボルトは、各固定フレームの２つの側板を貫通した後に各固定フレームの内部に装着されたハードディスクに対応してロックされ、各ボルトの頭部は、前記ガイド部から前記スライド溝の末端までスライド可能であることを特徴とする請求項２から５のいずれか一項に記載のハードディスクの固定装置。
【請求項７】
各固定フレームの前記側板には、内部へ凹む少なくとも２つの凹面が設けられ、前記ハードディスクは、前記固定フレームの内部に収容された後、２つの前記凹面の底壁により挟持され、各凹面の底壁には貫通孔が設けられ、複数の前記ボルトは、前記貫通孔に貫通されて前記ハードディスク内に螺合されることを特徴とする請求項６に記載のハードディスクの固定装置。
【発明の詳細な説明】
【技術分野】
【０００１】
本発明は、ハードディスクの固定装置に関するものである。
【背景技術】
【０００２】
近年、サーバーに収容できるハードディスクの数量に対する要求は益々高くなっている。一部のサーバーのドライブベイには、２つ以上のハードディスクが装着されている。具体的には、各ハードディスクはドライブベイのコネクタにそれぞれ挿入接続され、前記コネクタは、ケーブルを介してサーバーの背板に連接される。しかし、このように、前記コネクタはケーブルを介して連接されることから、多くのケーブルが前記ドライブベイの内部に乱雑に収容されている。
【発明の概要】
【発明が解決しようとする課題】
【０００３】
以上の問題点に鑑みて、本発明は、ハードディスクに電気的に接続されたコネクタのケーブルを整理して収容することができるハードディスクの固定装置を提供することを目的とする。
【課題を解決するための手段】
【０００４】
上記の目的を達成するために、本発明に係るハードディスクの固定装置は、ハードディスクを収容するためのブラケットを備える。前記ブラケットは、底板及び前記底板の長手方向に沿って対向するように延在する２つの側板を備え、前記底板の一端には、第一コネクタが設けられ、一方側の側板には、前記第一コネクタに近接する箇所に設けられた凹所及び前記凹所に連通し、且つ前記側板の長手方向に沿って延在する貫通スロットが設けられ、前記第一コネクタの前記ハードディスクに対向する側には、前記ハードディスクに電気的に接続されるための接続ポートが設けられ、前記第一コネクタにおける前記接続ポートが設置された側の反対側にはケーブルが設けられ、前記ケーブルは、前記凹所から前記貫通スロットを貫通して、前記ブラケットの外部へ引き出され、前記ブラケットの内部にはもう１つのハードディスクが装着され、前記底板の他端には、第二コネクタが設けられ、前記第二コネクタの前記もう１つのハードディスクに対向する側には、前記もう１つのハードディスクに電気的に接続されるための接続ポートが設けられ、前記第二コネクタの前記もう１つのハードディスクの反対側には、ケーブルが設けられ、前記第一コネクタの接続ポート及び前記第二コネクタの接続ポートは、互いに対向して設置され、前記第一コネクタと前記第二コネクタとのケーブルは統合された後に、同一の電気設備に共に接続される。
【発明の効果】
【０００５】
従来の技術とは異なり、本発明のドライブベイには、コネクタのケーブルが貫通するための貫通スロットが設けられているので、多くのケーブルが乱雑にサーバーのドライブベイの内部に収容されることを防止することができる。
【図面の簡単な説明】
【０００６】
【図１】本発明のハードディスクの固定装置の分解図である。
【図２】図１に示したハードディスクの固定装置のＩＩ部分の拡大図である。
【図３】図１に示したハードディスクの固定装置の固定部品の拡大図である。
【図４】図１に示したハードディスクの固定装置の組立図である。
【図５】図４に示したハードディスクの固定装置のＶ−Ｖ線に沿った断面図である。
【発明を実施するための形態】
【０００７】
図１及び図２に示すように、本発明のハードディスクの固定装置は、２つのハードディスク４０を固定するために用いられ、且つブラケット１０と、ハードディスク４０を収容するための２つの固定フレーム２０と、固定部品３０と、複数のボルト５０と、を備える。各ハードディスク４０の両側には、２つのロック孔４３がそれぞれ設けられている。各ボルト５０は、ボルト５０の本体のサイズより大きく、且つ円柱状を呈する頭部５２を含む。
【０００８】
ブラケット１０は、矩形の底板１１と、底板１１の側辺から上へ垂直に突出する２つの側板１５と、を備え、この２つの側板１５の内の一方の側板１５の前端部の内側には凹所１６が設けられている。凹所１６に近接する側板１５の一側には側壁１６２が設けられている。凹所１６が設けられた側板１５には、側板１５を前端部から後端部まで貫通する貫通スロット１８（図５を参照）が設けられている。貫通スロット１８は、側壁１６２を貫通して凹所１６に連通し、且つ側板１５の長手方向に沿って延在している。底板１１の前端部には、第一コネクタ１２０が装着されている。底板１１の後端部には、第二コネクタ１２１が装着されている。第一コネクタ１２０及び第二コネクタ１２１の互いに反対側を向く側面には、複数のケーブル１２２（例えば、データ伝送線及び電源線）がそれぞれ設けられている。
【０００９】
第一コネクタ１２０及び第二コネクタ１２１の互いに対向する側面には、接続ポートがそれぞれ設けられている。第一コネクタ１２０のケーブル１２２は、凹所１６を介して貫通スロット１８の前端部（第一コネクタ１２０側）に入り、且つ貫通スロット１８の後端部（第二コネクタ１２１側）から引き出された後、第二コネクタ１２１のケーブル１２２と統合されて、共にハードディスク４０が設置される電気設備（例えば、サーバー）の背板に接続される。２つの側板１５の内面の上端には、略垂直に延伸する複数のガイド部１５１と、各ガイド部１５１の先端から側板１５の長手方向に対して平行に延伸するスライド溝１５２と、がそれぞれ設けられている。各ガイド部１５１及び各スライド溝１５２は互いに連通する。一方のグループのスライド溝１５２（つまり、ブラケット１０の前端部に近い四つのスライド溝１５２）は第一コネクタ１２０に向かって延在し、他方のグループのスライド溝１５２（つまり、ブラケット１０の後端部に近い四つのスライド溝１５２）は、第二コネクタ１２１に向かって延在している。つまり、ブラケット１０の前端部に近い四つのスライド溝１５２の延伸方向は、ブラケット１０の後端部に近い四つのスライド溝１５２の延伸方向と反対である。
【００１０】
各固定フレーム２０は、天板２１、天板２１の長手方向両側から下方へ垂直に延在する２つの側板２２と、天板２１の長手方向両端から下方へ垂直に延在する第一端板２３及び第二端板２４と、を備える。天板２１には複数の放熱孔２１２が設けられている。各側板２２の外面には、内部へ凹む２つの凹面２５が間隔をあけて設けられている。各凹面２５の底壁２５１には、貫通孔２５２がそれぞれ設けられている。第一端板２３には、２つの円形の固定孔２３１が設けられている。固定フレーム２０には、２つの固定孔２３１の上部とそれぞれ連通し、且つ天板２１まで延在する２つの切欠き２３２が設けられている。各切欠き２３２の幅は固定孔２３１の直径より小さい。第二端板２４の上端には、天板２１まで貫通する開口２４３が設けられている。ハードディスク４０に設置されているコネクタ４２は、この開口２４３を介して、第一コネクタ１２０或いは第二コネクタ１２１の接続ポートに接続される。
【００１１】
図３に示すように、固定部品３０は、主体部３１及び弾性部材３５を備える。主体部３１は中空であり、且つ底面が開口している。主体部３１の対向する２つの側壁には、外側へ突出する当接部３２がそれぞれ設けられている。また、主体部３１の一端には第一端３１１が設けられており、前記主体部３１の対向する２つの側壁の外面における第一端３１１に近接する箇所には突起３３がそれぞれ設けられている。各突起３３には、略楕円状で、且つ柱状体の係止ブロック３４が設けられている。各係止ブロック３４の一対の側壁３４１は弧状を呈する。この弧状の半径は固定孔２３１の半径に等しい。
【００１２】
弾性部材３５は、主体部３１の第二端３１２（第一端３１１の反対側に位置する）の底部から下方へ垂直に延伸した後に、湾曲されて上方へ斜めに延伸する傾斜板３５１と、傾斜板３５１の先端から主体部３１から離れる方向へ延伸する操作部３５２と、傾斜板３５１の両側にそれぞれ突設された係合ピン３５３と、を備える。各係合ピン３５３における主体部３１から離間する側には、半径が固定孔２３１の半径と同じである弧状の当止面３５５が設けられている。
【００１３】
以下、図４及び図５を参照しながら、本発明のハードディスクの固定装置の使用方法について詳細に説明する。
【００１４】
本発明のハードディスク固定装置を組み立てる場合、先ず、２つのハードディスク４０を２つの固定フレーム２０内にそれぞれ挿入する。この際、各固定フレーム２０の凹面２５の底壁２５１は、各ハードディスク４０の両側にそれぞれ当接され、ハードディスク４０を挟持する。各ハードディスク４０のコネクタ４２は、各固定フレーム２０の開口２４３と対向して位置する。続いて、各ボルト５０を固定フレーム２０の貫通孔２５２に貫通させた後、ハードディスク４０のロック孔４３内に螺合させることにより、２つのハードディスク４０を２つの固定フレーム２０内にそれぞれ固定する。続いて、一方の固定フレーム２０の第二端板２４が第一コネクタ１２０に向かうように、この一方の固定フレーム２０に固定された四つのボルト５０の頭部５２を、ブラケット１０の前端部（第一コネクタ１２０が位置する端部）に近い四つのガイド部１５１から対応するスライド溝１５２内へスライドさせ、さらに頭部５２をスライド溝１５２の末端までスライドさせて、ボルト５０の頭部５２をスライド溝１５２の末端に当止させる。これにより、前記一方の固定フレーム２０内に装着されたハードディスク４０のコネクタ４２は、ブラケット１０の前端部の第一コネクタ１２０の接続ポートに電気的に接続される。続いて、第二端板２４が第二コネクタ１２１に向かうように、他方の固定フレーム２０に固定された四つのボルト５０の頭部５２を、ブラケット１０の後端部（第二コネクタ１２１が位置する端部）に近い四つのガイド部１５１から対応するスライド溝１５２内へスライドさせた後、スライド溝１５２の末端までスライドさせる。これにより、前記他方の固定フレーム２０内に装着されたハードディスク４０のコネクタ４２は、ブラケット１０の後端部の第二コネクタ１２１の接続ポートに電気的に接続される。
【００１５】
次に、固定部品３０を回転して、主体部３１の第一端３１１を下方に向けた後（つまり、縦置き状態にする）、固定部品３０をブラケット１０の上方に置き、且つ固定部品３０の２つの係止ブロック３４を、２つの固定フレーム２０の互いに向かい合う一対の切欠き２３２にそれぞれ対応させる。続いて、固定部品３０の２つの係止ブロック３４を、縦置き状態のまま前記一対の切欠き２３２にそれぞれ貫通させて、前記一対の切欠き２３２に連通する固定孔２３１内に挿入する。続いて、固定部品３０を回転させて、各係止ブロック３４を対応する固定孔２３１内で水平状態に回転させ、且つ係止ブロック３４の２つの弧状の側壁３４１を固定孔２３１の周壁に当接させる（図５を参照）。続いて、主体部３１に向けて弾性部材３５を押圧して、弾性部材３５を弾性変形させ、且つ固定部品３０の２つの係合ピン３５３を２つの固定フレーム２０のもう一対の切欠き２３２内にそれぞれスライドさせる。２つの係合ピン３５３の弧状の当止面３５５が前記もう一対の切欠き２３２に連通する各固定孔２３１の周壁に当止されると、弾性部材３５は弾性復帰する。これにより、主体部３１の２つの当接部３２は、各固定フレーム２０の第一端板２３にそれぞれ当接される。以上により、本発明のハードディスクの固定装置の組み立ては完了する。
【００１６】
ハードディスク４０を取り外す或いは取り換える場合、固定部品３０の操作部３５２に外力を加えて、主体部３１に向けて弾性部材３５を押圧して、弾性部材３５を弾性変形させて、２つの係合ピン３５３を切欠き２３２と同一軸線上にセットする。続いて、弾性部材３５を上方へ移動して、２つの係合ピン３５３を対応する切欠き２３２を介して、２つの固定フレーム２０からそれぞれ脱出させる。続いて、固定部品３０を回転して、主体部３１の第一端３１１を下方へ向けて、各係止ブロック３４を縦置き状態に回転させた後、固定部品３０を上方へ移動することにより、固定部品３０を対応する切欠き２３２を介して２つの固定フレーム２０から離脱させる。最後に、２つの固定フレーム２０を、対応するスライド溝１５２に沿ってスライドさせて、ガイド部１５１を通してブラケット１０から取り出す。続いて、各固定フレーム２０に固定されたボルト５０を緩めて取り出す。以上により、２つのハードディスク４０を完全に取り外すことができる。
【００１７】
上記の実施形態から分かるように、本発明のハードディスクの固定装置の前端部の第一コネクタ１２０のケーブル１２２がブラケット１０の貫通スロット１８内に収納されるので、ケーブル１２２が乱雑にブラケット１０の内部に収容されることを防止することができる。
【００１８】
以上、本発明の好適な実施形態について詳細に説明したが、本発明は前記実施形態に限定されるものではなく、本発明の範囲内で種々の変形又は修正が可能であり、該変形又は修正も又、本発明の特許請求の範囲内に含まれるものであることは、言うまでもない。
【符号の説明】
【００１９】
１０      ブラケット
１１      底板
１２０    第一コネクタ
１２１    第二コネクタ
１２２    ケーブル
１５、２２    側板
１５１    ガイド部
１５２    スライド溝
１６      凹所
１６２    側壁
１８      貫通スロット
２０      固定フレーム
２１      天板
２２      側板
２１２    放熱孔
２３      第一端板
２３１    固定孔
２３２    切欠き
２４      第二端板
２４３    開口
２５      凹面
２５１    底壁
２５２    貫通孔
３０      固定部品
３１      主体部
３１１    第一端
３１２    第二端
３２      当接部
３３      突起
３４      係止ブロック
３４１    側壁
３５      弾性部材
３５１    傾斜板
３５２    操作部
３５３    係合ピン
３５５    当止面
４０      ハードディスク
４２      コネクタ
４３      ロック孔
５０      ボルト
５２      頭部
【図１】
0005577434.tif 000002
【図２】
0005577434.tif 000003
【図３】
0005577434.tif 000004
【図４】
0005577434.tif 000005
【図５】
0005577434.tif 000006